(57)【要約】【課題】様々な大きさや形状の物品を、パッドを使用することなく固定して発送できるようにする。【解決手段】底壁４及びその端辺から折り曲げられて起立する側壁５を備えた箱１と、箱１の底壁４の上面に載置された物品２と、物品２を箱１の底壁４の上面に固定する包装用のフィルム３とから成り、前記箱１は、外面と内面との間に通気性を有するものとし、前記フィルム３は、箱１の開口した天面に加熱状態で被せられ、箱１の内部の空気が箱１の底壁４を介して外部へ吸引されることにより、箱１の底壁４及び側壁５の内面に密着すると共に、物品２の底部を除く表面に密着するものとする。【選択図】図５
2016159968.tif 000002
【特許請求の範囲】
【請求項１】
底壁(4)及びその端辺から折り曲げられて起立する側壁(5)を備えた箱(1)と、箱(1)の底壁(4)の上面に載置された物品(2)と、物品(2)を箱(1)の底壁(4)の上面に固定する包装用のフィルム(3)とから成り、前記箱(1)は、外面と内面との間に通気性を有するものとし、前記フィルム(3)は、箱(1)の開口した天面に加熱状態で被せられ、箱(1)の内部の空気が箱(1)の底壁(4)を介して外部へ吸引されることにより、箱(1)の底壁(4)及び側壁(5)の内面に密着すると共に、物品(2)の底部を除く表面に密着するものとした物品の包装体。
【発明の詳細な説明】
【技術分野】
【０００１】
この発明は、物品を箱の内部で動かないように固定した包装体に関するものである。
【背景技術】
【０００２】
従来、電子部品等の物品の包装体として、下記特許文献１には、図７に示すようなものが記載されている。この包装体は、底板５４の上面にポケット５６を有する上板５５を重ね合わせた段ボールトレイ５１と、そのポケット５６に収納された物品５２と、物品５２がポケット５６に収納された状態で段ボールトレイ５１を覆うように封止される包装用フィルム５３とから成る。
【０００３】
フィルム５３のポケット５６を覆う部分は、段ボールの中芯の波状構造から生じる隙間を介した空気の吸引に伴い、ポケット５６の内部の圧力を低下させることにより、物品５２を上面からポケット５６の底部の方向へ押圧している。
【０００４】
ところで、近年、インターネットを介した通信販売が一般化しており、通信販売業者が商品を発送する際には、様々な大きさや形状の商品を収納できる大きめの箱を用意し、商品を箱の内底面に対応する段ボール板のパッドに載せ、商品とパッドとをフィルムの巻き付けにより固定した状態で箱に収納し、箱の内部で商品が動かないようにして、輸送時における商品の破損を防止する包装形態が採用されることがある。
【先行技術文献】
【特許文献】
【０００５】
【特許文献１】特許第４１１７６９１号公報
【発明の概要】
【発明が解決しようとする課題】
【０００６】
しかしながら、特許文献１に記載された包装体では、段ボールトレイのポケットに収納できる物品が電子部品のような小さなものに限られる。
【０００７】
また、通信販売で採用されている上記従来の包装形態では、箱に加えて、パッド及びフィルムが必要となり、包装コストが嵩むという問題がある。
【０００８】
そこで、この発明は、様々な大きさや形状の物品を、パッドを使用することなく固定して発送できるようにすることを課題とする。
【課題を解決するための手段】
【０００９】
上記課題を解決するため、この発明に係る包装体は、底壁及びその端辺から折り曲げられて起立する側壁を備えた箱と、箱の底壁の上面に載置された物品と、物品を箱の底壁の上面に固定する包装用のフィルムとから成り、前記箱は、外面と内面との間に通気性を有するものとし、前記フィルムは、箱の開口した天面に加熱状態で被せられ、箱の内部の空気が箱の底壁を介して外部へ吸引されることにより、箱の底壁及び側壁の内面に密着すると共に、物品の底部を除く表面に密着するものとしたのである。
【発明の効果】
【００１０】
この発明に係る包装体では、物品をフィルムにより箱の底壁の上面に直接固定しているので、様々な大きさや形状の物品を箱に対して動かないように包装でき、パッドが不要となるので、包装コストを抑制できる。
【図面の簡単な説明】
【００１１】
【図１】この発明の実施形態に係る物品包装体の構成部材を示す分解斜視図
【図２】同上の箱の底壁の上面に物品を置いた状態を示す斜視図
【図３】同上の箱にフィルムを被せた状態を示す（ａ）斜視図、（ｂ）縦断側面図
【図４】同上の箱の内部の空気を外部へ吸引する状態を示す縦断側面図
【図５】同上の箱の底壁及び側壁と物品の底部を除く表面とに密着して物品が固定された状態を示す（ａ）斜視図、（ｂ）縦断側面図
【図６】同上の包装体の箱に蓋を被せる過程を示す斜視図
【図７】特許文献１に記載の包装体を示す（ａ）斜視図、（ｂ）縦断側面図
【発明を実施するための形態】
【００１２】
以下、この発明の実施形態を添付図面に基づいて説明する。
【００１３】
図１に示すように、この包装体は、段ボール製の箱１と、通信販売で発送される商品のような物品２と、包装用のフィルム３とから成る。
【００１４】
箱１は、幅面及び長面を形成する側壁５が周方向に連設されて起立し、各側壁５の下端から延びるフラップの折り重ねにより底壁４が形成され、天面が開放された半Ａ式と呼ばれる形式のものとされている。箱１の材料の段ボールは、波状の中芯の両面にライナーが貼り付けられた両面段ボールであり、箱１の外面及び内面となる両面のライナー間に通気性を有する。
【００１５】
ここでは、物品２として、直方体のものを１個のみ図示しているが、実際には、各種食品のパウチやカップ、飲料のボトル等、様々な大きさや形状のものが複数個包装の対象となる。ただし、刃など鋭利な部分が突出しているものは除く。
【００１６】
また、フィルム３としては、例えば、強靭で適度な弾力性と柔軟性を有し、加熱によって柔らかくなり、冷却によって強くなるアイオノマー樹脂が採用される。フィルム３の箱１と接触する面には、微粘着性が付与されている。
【００１７】
この包装体の形成に際しては、図２に示すように、箱１を組み立てた状態で、その底壁４の上面に物品２を載置する。
【００１８】
次に、図３に示すように、フィルム３を予め加熱して軟化させた状態で、箱１の開口した天面に被せる。
【００１９】
そして、図４に示すように、箱１を下方が開放された保持枠１０の内側に嵌め、箱１の側壁５の上端にフィルム３を上盤１１で押し付けた状態で、天面がフィルム３で塞がれた箱１の内部の空気を、図示しない吸引ポンプにより底壁４を介して外部へ吸い出す。
【００２０】
この吸引により、図５に示すように、フィルム３は、箱１の底壁４及び側壁５の内面に密着すると共に、物品２の底部を除く表面に密着する。
【００２１】
その後、箱１の側壁５からフランジ状にはみ出したフィルム３の外縁部を切除し、図６に示すように、箱１に上方から蓋６を被せ、箱１の天面の開口を閉じる。
【００２２】
上記のような包装体では、物品２をフィルム３により箱１の底壁４の上面に直接固定しているので、様々な大きさや形状の物品２を箱１に対して動かないように包装でき、パッドが不要となるので、包装コストを抑制できる。
【００２３】
なお、上記実施形態では、箱１として、半Ａ式のものを例示したが、箱１は、矩形の底壁４の外周各辺からそれぞれ延びる側壁５を折り曲げて起立させ、隣り合う側壁５同士を連結するＣ式身箱のような形式としてもよい。
【００２４】
また、フィルム３は、箱１の内部の空気の吸引に伴い、箱１の深さに応じて引き伸ばされるため、箱１が深い場合には厚いフィルム３を用い、箱１が浅い場合には薄いフィルム３を用いるようにすればよい。
【００２５】
また、物品２からフィルム３を剥がす際、物品２が破損する恐れがある場合には、フィルム３として、離型剤を部分的に塗布したものを使用したり、物品２とフィルム３の間に保護シートを挟んだりするとよい。
【００２６】
そのほか、上記実施形態では、フィルム３に微粘着性を付与したものを例示したが、これに替えて、箱１の内面に微粘着性の粘着剤を塗布してもよい。
【符号の説明】
【００２７】
１  箱
２  物品
３  フィルム
４  底壁
５  側壁
６  蓋
１０  保持枠
１１  上盤
【図１】
2016159968.tif 000003
【図２】
2016159968.tif 000004
【図３】
2016159968.tif 000005
【図４】
2016159968.tif 000006
【図５】
2016159968.tif 000007
【図６】
2016159968.tif 000008
【図７】
2016159968.tif 000009